(57)【要約】【課題】ペット動物に装着する際の尾錠の位置を連結分離し易い一定位置に保つことができ、かつ、部品点数を減少させて取扱いを容易とすると共に、胴輪の組み立て手順の制約を少なくして尾錠の取付作業及び紐体の組み込み作業を容易化し得るペット用胴輪を提供する。【解決手段】両端を尾錠４で連結分離可能とされると共に途中に長さ調節部１ａを有し、さらに８の字状として首輪部６及び胴輪部７を形成するための紐体１と、８の字状とされた紐体１のクロス部分を覆う支持プレート２と、該支持プレート２に回転自在に設けられた引き紐接続用の連結環３とからなり、支持プレート２には、紐体１の一方の端部連結部２ｈと尾錠取付部２ｉが左右方向に対向して形成されており、これら両部の対向方向にクロスするように一対の紐体挿通孔２ｊを左右方向に対向して形成した。【選択図】図１
2005204622.tif 000002
【特許請求の範囲】
【請求項１】
両端を尾錠で連結分離可能とされると共に途中に長さ調節部を有し、さらに８の字状として首輪部及び胴輪部を形成するための紐体と；８の字状とされた前記紐体のクロス部分を覆う支持プレートと；前記支持プレートに回転自在に設けられた引き紐接続用の連結環と；からなり、前記支持プレートには、前記紐体の一方の端部連結部と尾錠取付部が左右方向に対向して形成されており、これら両部の対向方向にクロスするように一対の紐体挿通孔が左右方向に対向して形成されていることを特徴とするペット用胴輪。
【請求項２】
前記支持プレートは、前記紐体のクロス部分を表裏から被覆する天板部分と底板部分とを有していることを特徴とする請求項１に記載のペット用胴輪。
【請求項３】
前記紐体の一方の端部連結部と尾錠取付部とは、前記支持プレートの底板部分に形成されており、前記尾錠取付部には、尾錠の一方が表裏方向に揺動可能に枢着されていることを特徴とする請求項１または請求項２に記載のペット用胴輪。
【請求項４】
前記連結環には、前記紐体のクロス部分を挿通する環状部が、前記連結環自体に一体に形成され、または、前記連結環と前記支持プレートの底板部によって形成されていることを特徴とする請求項１〜請求項３のいずれかに記載のペット用胴輪。
【発明の詳細な説明】
【技術分野】
【０００１】
本発明は、犬等のペット動物に装着し、引き紐を接続して散歩させる場合等に使用するペット用胴輪に関するものである。
【背景技術】
【０００２】
この種の胴輪は、ペット動物の首の締め付け防止、首回りの毛痛みや首抜け防止等のために首輪に代えて使用されるようになってきている。従来の胴輪は、端部どうしが尾錠で連結分離可能とされると共に、長さ調節部によって長さを調節することが可能な紐体と、該紐体を８の字状として首輪部と胴輪部を形成するときのクロス部分を挿通する紐体挿通孔を形成した支持プレートと、該支持プレートに挿通される紐体のクロス部分を挿通する環状部を有する引き紐接続用の連結環とを備えた構造のものが公知である（例えば、特許文献１参照）。
【０００３】
また、本出願人は、紐体及び支持プレートを備えると共に、該支持プレートに取付部材を介して固着された引き紐接続用の連結環を備え、該連結環の取付部材を支持プレートの裏面側で紐体のクロス部分により被覆させた構造を有する胴輪を提案している（特許文献２参照）。
【特許文献１】特許第３３８７０１９号
【特許文献２】特願２００３−０４６４９０号
【発明の開示】
【発明が解決しようとする課題】
【０００４】
前記特許文献１の胴輪は、支持プレートに覆われた紐体のクロス部分よりも下方に連結環の環状部が突出するため、ペット動物に装着した場合、支持プレートに覆われたペット動物の背中の毛が連結環の環状部と紐体のクロス部との間に挟まって毛痛み、抜け毛等のトラブルが発生する欠点があった。
一方、特許文献２の胴輪によれば、支持プレートに覆われたペット動物の背中の毛が連結環の取付部材と支持プレートとの間に挟まることはなく、ペット動物の背中の毛痛み、抜け毛等のトラブルを解消することができる。
【０００５】
しかしながら、上記特許文献１及び特許文献２の胴輪は、紐体の両端を連結分離するための尾錠と支持プレートとが分離しているため、長さ調節部を操作して紐体の長さを伸縮した場合や紐体の両端を引き絞って首輪部や胴輪部の大きさを調節した場合に、支持プレートに対する尾錠の位置がずれ、ペット動物への装着時に、ペット動物に対して尾錠の位置が一定せず、尾錠の連結分離が容易でない欠点がある。また、尾錠と支持プレートとが分離しているため、部品点数が多くなり、胴輪の組み立て段階での取扱いが煩雑となる欠点がある。さらに、紐体の両端への尾錠の取付け時点は、紐体を支持プレートに挿通した後としなければならないため、胴輪の組み立て手順が制約される欠点がある。
【０００６】
そこで、本発明は、上記欠点に鑑み、ペット動物に装着する際の尾錠の位置を連結分離し易い一定位置に保つことができ、かつ、部品点数を減少させて取扱いを容易とすると共に、胴輪の組み立て手順の制約を少なくして尾錠の取付作業及び紐体の組み込み作業を容易化し得るペット用胴輪を提供するようにしたものである。
【課題を解決するための手段】
【０００７】
この技術的課題を解決するための本発明の技術的手段は、両端を尾錠で連結分離可能とされると共に途中に長さ調節部を有し、さらに８の字状として首輪部及び胴輪部を形成するための紐体と；８の字状とされた前記紐体のクロス部分を覆う支持プレートと；前記支持プレートに回転自在に設けられた引き紐接続用の連結環と；からなり、前記支持プレートには、前記紐体の一方の端部連結部と尾錠取付部が左右方向に対向して形成されており、これら両部の対向方向にクロスするように一対の紐体挿通孔が左右方向に対向して形成されていることを特徴としている。
【０００８】
この構成によれば、尾錠の連結・分離操作は支持プレートの近傍にて行われるため、支持プレートに対する尾錠の位置が連結分離し易いペット動物の背中近傍の一定位置に保たれ、紐体の長さ調節部を調節して紐体の長さを調節した場合や、首輪部または胴輪部の大きさを調節するために紐体を引き絞った場合にも、支持プレートに対して尾錠の位置がずれることはなく、従って、紐体の両端を連結分離する操作を容易に行うことができる。また、支持プレートの尾錠取付部に尾錠の一方を取付けておくことができるため、部品点数を減少させることができる。さらに、尾錠の一方が支持プレートの尾錠取付部に取付けられることにより、尾錠の他方の紐体への取付け時点は、支持プレートへの紐体の挿通前後いずれでもよくなり、胴輪の組み立て手順の制約を少なくすることができる。
【０００９】
また、本発明の前記支持プレートは、前記紐体のクロス部分を表裏から被覆する天板部分と底板部分とを有していることを特徴としている。
この構成によれば、ペット動物の背中と対向することとなる紐体のクロス部分が支持プレートの底板部分によって被覆されており、紐体のクロス部分がペット動物の背中に当接することがないため、ペット動物の背中の毛が紐体のクロス部分と支持プレートの天板部分との間に挟まれることはなく、ペット動物の背中の毛痛み、抜け毛等のトラブルを解消することができる。
【００１０】
また、本発明の前記紐体の一方の端部連結部と尾錠取付部とは、前記支持プレートの底板部分に形成されており、前記尾錠取付部には、尾錠の一方が表裏方向に揺動可能に枢着されていることを特徴としている。
この構成によれば、ペット動物に装着した際に、ペット動物の動きに伴う引張力の殆どが支持プレートの底板部分によって受け止められるため、支持プレートの天板部分を高い強度の材料で製作する必要はなく、製造コストを抑えることができる。しかも、支持プレートに取付けられる尾錠の一方は、支持プレートの表裏方向に揺動可能に枢着されているため、該尾錠の一方をペット動物の背中の曲面にフィットさせることができる。
【００１１】
また、本発明の技術的手段は、前記連結環には、前記紐体のクロス部分を挿通する環状部が、前記連結環自体に一体に形成され、または、前記連結環と前記支持プレートの底板部によって形成されていることを特徴としている。
この構成によれば、連結環に係止された引き紐が牽引されることにより、連結環が支持プレートから離間する方向に引っ張られると、環状部に挿通された紐体のクロス部分が環状部と支持プレートの天板部分によって狭圧され、支持プレートに対する紐体のクロス部分の移動摩擦抵抗が増大して紐体のずれ動きが抑制される。従って、ペット動物を引率したときに引率者に対してペット動物が前後左右に動いた場合にも、紐体のずれ動きが抑えられ、首輪部や胴輪部の緩みが防止される。
【発明の効果】
【００１２】
本発明によれば、ペット用胴輪における紐体の連結・分離操作用の尾錠の位置を連結分離し易い一定位置に保つことができ、かつ、部品点数を減少させて取扱いを容易とすると共に、胴輪の組み立て手順の制約を少なくして尾錠の取付作業及び紐体の組み込み作業を容易化することができる。
【発明を実施するための最良の形態】
【００１３】
以下、本発明の実施の形態を図面に基づいて説明する。
図１〜図５は本発明の胴輪の第１の実施の一形態を示すものである。本発明の胴輪は、紐体１と支持プレート２と連結環３とを主たる構成部材としている。
紐体１は、天然皮革、合成皮革またはナイロンやアクリル等の合成樹脂製或いはこれらの複合素材によって扁平な紐状に製作されている。そして、紐体１は、図１に示すように、一方の端部が後述する支持プレート２の端部連結部２ｈに連結されると共に、他方の端部に尾錠４の一方、本実施形態では雌部材４ａが取り付けられている。また、この紐体１は、全体を８の字状として首輪部６及び胴輪部７を形成するもので、全体の長さを個々のペット動物のサイズに適合調節するための長さ調節部１ａとなる長さ調節用の尾錠５が紐体１の途中箇所、例えば、胴輪部７の途中に設けられている。上記尾錠５は、紐体１の長さを無段階に調節して調節後の長さを保持する形式のもの、本実施形態では、日の字型枠状フレームを採用しているが、他の構成のものを採用しても良い。
【００１４】
支持プレート２は、全体を樹脂、または金属、或いは少なくとも連結環３との対向部のみを金属製とし、他の部分を樹脂によって構成され、平面視で長方形乃至小判形の扁平な中空箱形状に形成されている。具体的には、図２〜図４に示すように、紐体１のクロス部分の表面側を覆う天板部分２ａと、紐体１のクロス部分の裏面側を覆う底板部分２ｂと、天板部分２ａから一連に形成された前壁部分２ｃ及び後壁部分２ｄと、さらにこれら前壁部分２ｃと後壁部分２ｄを連結する右側壁部分２ｅ及び左側壁部分２ｆとからなり、これら天板部分２ａと、前壁部分２ｃと、後壁部分２ｄと、右側壁部分２ｅ及び左側壁部分２ｆとで本体プレート２１が構成されると共に、底板部分２ｂで底面蓋２２が構成され、本体プレート２１と底面蓋２２とは、接着その他の手段で一体に連結されている。また、本体プレート２１には、図４に示すように、天板部分２ａの中央に連結環３を挿通させるための開口部２ｇが形成されており、該開口部２ｇは、天板部分２ａの前後方向に長いスリット形状を呈し、該スリット形状の長さ及び幅は、後述する連結環３の環状部３２の幅及び厚さよりも僅かに大き目とされている。また、本体プレート２１は、左側壁部分２ｆの前壁部分２ｃ側の領域に紐体１の一方の端部を連結するための端部連結部２ｈを有すると共に、右側壁部分２ｅの後壁部分２ｄ側の領域に尾錠取付部２ｉを有し、該尾錠取付部２ｉには、尾錠４の雄部材４ｂが一体に突設されている。この第１の実施形態においては、尾錠４の雄部材４ｂと本体プレート２１とを一体に形成しているため、部品点数を減少させることができる。さらに本体プレート２１には、紐体１の一方の端部連結部２ｈと尾錠取付部２ｉの対向方向にクロスする位置となる右側壁部分２ｅの前壁部分２ｃ側の領域と左側壁部分２ｆの後壁部分２ｄ側の領域に、８の字状とした紐体１のクロス部分を挿通するための一対の紐体挿通孔２ｊが対向して形成されている。各紐体挿通孔２ｊは、直線状のスリット形状とされ、該スリット形状の長さ及び幅は、紐体１の幅及び厚さよりも僅かに大き目とされている。支持プレート２の平面形状は、図２に示すように、凸円弧形状の左右側縁２ｃ’、２ｆ’と凹円弧形状の前後側縁２ｃ’、２ｄ’とで構成され、天板部分２ａの中心に対して点対称の形状を呈している。このように、支持プレート２を前後の区別がない形状とすることによって、８の字状とした紐体１の２つの輪部の内、何れか一方を首輪部６とすることができると共に、他方を胴輪部７とすることができる。また、支持プレート２の底面蓋２２は、図３（Ａ）に示すように、中央部が高く左右両側が低くなるように円弧状に湾曲させた形状を呈しており、この形状によって、支持プレート２をペット動物の背中の形状にフィットさせて当接することができる。また、尾錠４は、図２に示すように、紐体１の他方の端部に取り付けられた雌部材４ａと、本体プレート２１の尾錠取付部２ｉに一体に形成された雄部材４ｂとから構成されている。雌部材４ａは先端に中空凹部４ｅを有し、この中空凹部４ｅの両側に係止孔４ｃが開口形成されている。雄部材４ｂは、前記雌部材４ａの中空凹部４ｅに圧入嵌合させるための３本フォーク形状の凸部４ｆを有し、両側が弾性係止片４ｄとされている。雌部材４ａと雄部材４ｂとの連結時には、雄部材４ｂと雌部材４ａとを対向させて相対的に押し込むことにより、雄部材４ｂの両側の弾性係止片４ｄを押し込み初期には一旦、接近方向（縮幅方向）に弾性変形させて前記中空凹部４ｅ内に圧入し、押し込み後期には離隔方向（拡幅方向）に弾性復元させて雌部材４ａの両側の係止孔４ｃに嵌合係止させることにより連結され、この状態を板止め保持する。連結解除時には、先ず、雄部材４ｂの両側の弾性係止片４ｄを接近方向に押圧し、その後、雌部材４ａの両側の係止孔４ｃから退入させながら雌部材４ａの中空凹部４ｅから雄部材４ｂの凸部４ｆを引き抜くことによって、雌部材４ａと雄部材４ｂの連結が分離される。本実施形態では、上記した構成からなるワンタッチ式連結分離タイプの尾錠４を採用しているが、他の構成のものを採用しても良い。
【００１５】
連結環３は、図２及び図３（Ａ）（Ｂ）に示すように、引き紐接続用のリング３１と、紐体１のクロス部分を挿通する環状部３２と、リング３１と環状部３２を連結する連結部材３３とから構成されている。リング３１は、金属製リング、好ましくはキーホルダー用割リングで構成されており、連結部材３３の係止孔３ａに挿入して係止されている。また、連結部材３３は、連結軸３ｂと、前記係止孔３ａを形成するために連結軸３ｂの上端に一体に形成されたリング部３ｃとを有し、環状部３２に形成された取付孔３ｄに連結軸３ｂを挿入して連結軸３ｂの下端の膨隆係止部３ｅにより抜け止めを施すことによりリング３１と環状部３２とを回転自在に強固に連結している。さらに、環状部３２は、矩形状の挿通孔３ｆを有しており、該挿通孔３ｆの高さ及び幅は、紐体１の厚さ及び幅よりも大き目とされている。
【００１６】
第１の実施の形態は、以上の構成からなるもので、連結環３の環状部３２を支持プレート２の表面側から開口部２ｇに挿通し、紐体１の一方の端部を端部連結部２ｈに連結した後に紐体１をＵ字状に湾曲させて首輪部６を形成し、紐体１の他方の端部を支持プレート２の右側壁部分２ｅに形成された一方の紐体挿通孔２ｊに挿通させ、次に連結環３の環状部３２の挿通孔３ｆを潜らせた後、左側壁部分２ｆに形成された他方の紐体挿通孔２ｊに挿通させ、該他方の端部に尾錠５を挿通した後、尾錠４の雌部材４ａに挿通して折り返し、再び尾錠５に挿通して、この尾錠５と尾錠４の雌部材４ａとの間の折り返し部を長さ調節部１ａとして完成品とされる。このように、紐体１は、一方の端部が支持プレート２の端部連結部２ｈに連結され、他方の端部のみを支持プレート２の一対の紐体挿通孔２ｊ及び連結環３の環状部３２の挿通孔３ｆに挿通することにより支持プレート２に組み込まれるため、紐体１を支持プレート２に組み込む作業が容易となる。また、尾錠４の雌部材４ａの紐体１への取付けは、上記の如く支持プレート２に紐体１を挿通した後に行っても良いが、支持プレート２に紐体１を挿通する前でも行うことができる。次に、これをペット動物に装着する場合について図１と図５を参照しながら説明する。先ず、支持プレート２がペット動物の背中にくるようにして紐体１の首輪部６をペット動物の首部に挿入する。このとき、首輪部６は、ペット動物の首部のサイズよりも大きくしておき、首部に挿入後、首輪部６を縮小調節する。この首輪部６の縮小調節は、紐体１の他方の端部を支持プレート２の紐体挿通孔２ｊを通じて引き絞ることにより行う。次に、支持プレート２の紐体挿通孔２ｊから伸びる紐体１の他方の端部をペット動物の背中の左側から腹部を経由して背中の右側に回し、尾錠４の雌部材４ａを支持プレート２の雄部材４ｂに押し込んで胴輪部７を形成し、仮付けしておく。そして、長さ調節部１ａ及び長さ調節用の尾錠５を操作して胴輪部７の大きさをペット動物の胴部に密着適合するように縮小調節する。これで装着は終了する。この後、引き紐１０を連結環３のリング３１に係止して散歩等に引率する。なお、尾錠５の調節は、ペット動物に装着する初回だけ行えばよく、次回以降は、ペット動物の体格が変化しない限りは不要である。この第１の実施形態の胴輪は、ペット動物に装着する際の尾錠４の連結操作を常に尾錠４の雄部材４ｂが形成されている支持プレート２の右側方にて行うことができ、ペット動物の体格が変化した場合や異なる大きさのペット動物に装着する場合にも、支持プレート２に対して尾錠４の位置がずれることはなく、従って、尾錠４の連結分離操作を容易に行うことができる。また、連結環３の環状部３２は、装着時に紐体１のクロス部分よりもペット動物の背中側に突出することとなるが、前記環状部３２は支持プレート２の底面蓋２２によって被覆されているため、ペット動物に装着した際にもペット動物の背中に接触することはない。このため、紐体１のクロス部分と連結環３の環状部３２との間に背中の毛が挟まれることによる毛痛みや抜け毛等のトラブルの発生を防ぐことができる。さらに、連結環３のリング３１は、環状部３２及び連結部材３３を介して支持プレート２に対して回転自在となっているため、ペット動物が引率者の前後左右に移動しても引き紐１０がペット動物の動きに無理なく追従することができ、ペット動物への負担を軽減できる。また、ペット動物が引率者に対して大きく前後左右に動いた場合、引き紐１０が牽引されて連結環３のリング３１が支持プレート２から離間する方向に引っ張られ、これに伴って連結環３の環状部３２が支持プレート２の天板部分２ａの裏面側から表面側に向けて移動する。これによって、紐体１のクロス部分が連結環３の環状部３２と支持プレート２の天板部分２ａとによって狭圧され、支持プレート２に対する紐体１の移動摩擦抵抗が増大することとなり、紐体１のずれ動きが抑制される。
【００１７】
次に、第２の実施形態を図６〜図９で説明する。この実施形態は、支持プレート２０を構成する本体プレート２３と底面蓋２４及び連結環３０の形状が前記第１の実施形態とは異なるものである。即ち、支持プレート２０の本体プレート２３は、全体が樹脂で形成され、図６に示すように、天板部分２ａと、これと一連に形成された前壁部分２５及び後壁部分２６と、さらにこれら前壁部分２５と後壁部分２６とを連結する右側壁部分２７及び左側壁部分２８とから構成され、右側壁部分２７の後壁部分２６側の領域には、尾錠４の雄部材４１を設置するための切り欠き部２９が形成されると共に、左側壁部分２８の前壁部分２５側の領域には、紐体１の一方の端部を挿通するための透孔２１０が形成されている。また、これら切り欠き部２９と透孔２１０の対向方向にクロスする位置となる右側壁部分２７の前壁部分２５側の領域と左側壁部分２８の後壁部分２６側の領域に、一対の紐体挿通孔２ｊが対向して形成されている。一方、底面蓋２４は、全体が金属（例えば、銅、黄銅、青銅、その他の銅合金、アルミ、アルミ合金、ステンレス合金、チタン合金、その他の金属、或いは他の金属合金等）により構成され、図６または図７（Ａ）（Ｂ）に示すように、円形状を呈する底板部分２ｂと、前記切り欠き部２９と対向する尾錠取付部２１１と、前記透孔２１０と対向する端部連結部２１２とを有している。該端部連結部２１２には、透孔２１０を挿通した紐体１の一方の端部が連結されると共に、尾錠取付部２１１には、切り欠き部２９を介して設置された尾錠４の雄部材４１が係止されている。また、底板部分２ｂの中央部には、本体プレート２３の天板部分２ａの裏面側に向けて突出する一対の切り起し片２１３が形成されている。尾錠４の雄部材４１は、図８及び図９に示すように、一対の弾性係止片４ｄの突出方向とは反対側に突出する直方体状の突出部４２を有しており、該突出部４２には、両側部を貫通する円筒状の係止孔４３が形成されると共に、該係止孔４３から突出部４２の裏面側に向けて貫通する挿通溝４４が形成されている。該挿通溝４４に尾錠取付部２１１の板状の軸体２１５を挿通させ、該軸体２１５が前記係止孔４３内に位置するまで尾錠４の雄部材４１を尾錠取付部２１１に向けて押し込み、その後に尾錠４の雄部材４１を支持プレート２０の表面側に起こすことにより、尾錠取付部２１１に尾錠４の雄部材４１は連結される。これによって、尾錠４の雄部材４１は、前記軸体２１５を回転軸として支持プレート２０の表裏方向に揺動することができる。また、前記挿通溝４４の幅は、尾錠取付部２１１の軸体２１５の厚さよりも大きく、軸体２１５の幅よりも小さな大きさに形成されているため、尾錠取付部２１１の軸体２１５を尾錠４の雄部材４１の係止孔４３に挿入した状態で尾錠４の雄部材４１を支持プレート２０の表面側に起こすことにより、軸体２１５の裏面側が挿通溝４４と対向して抜け止めが施されることとなり、この状態で尾錠４の雄部材４１が尾錠取付部２１１から容易に外れることはない。
【００１８】
連結環３０は、全体が金属によって構成され、図７（Ａ）（Ｂ）に示すように、上記第１の実施形態と同様の構成を有するリング３１と、底面蓋２４に向けて伸びる一対の脚部３ｇを有するＵ字状の環状部３４と、上記第１の実施形態と同様の構成を有してリング３１と環状部３４とを連結する連結部材３３とから構成されている。また、環状部３４の一対の脚部３ｇの先端を底面蓋２４の底板部分２ｂに溶接接合して該底面蓋２４と一体化することにより、挿通孔Ｓが形成されている。なお、挿通孔Ｓの形成手段は、上記構成に限定されるものではなく、底板部分２ｂに一対の貫通孔を形成し、両貫通孔に一対の脚部３ｇをそれぞれ挿入した後、両脚部３ｇの先端部を潰して形成されるリベット接合や、加締め止め等によって形成してもよい。また、紐体１の構成は前記第１の実施形態と同様である。
【００１９】
上記第２の実施形態は以上の構成からなるもので、ペット動物に装着した際、ペット動物の動きに伴う引張力の殆どが底面蓋２４によって受け止められ、本体プレート２３に大きな引張力が作用することはなく、従って、本体プレート２３を高強度な材料によって作製する必要はなく、製造コストを抑えることができる。一方、前記引張力の殆どを受け止めることとなる底面蓋２４は上述のように金属によって形成されるため、前記引張力に対して十分な強度を発揮させることができる。また、尾錠４の雄部材４１を支持プレート２０の表裏方向に揺動させることができるため、雄部材４１と雌部材４ａを連結した尾錠４をペット動物の背中にフィットさせて当接することができるばかりでなく、尾錠４をペット動物の動きに追従させることができ、尾錠４にペット動物の動作に伴う引張力が大きく作用することはない。さらに、尾錠４の雄部材４１は、尾錠取付部２１１の軸体２１５を尾錠４の雄部材４１の挿通溝４４に挿通させて係止孔４３に係止することにより尾錠取付部２１１に連結されており、その取付作業は容易である。また、紐体１のクロス部分は、底面蓋２４の底面部分２ｂによって被覆されているため、紐体１のクロス部分と支持プレート２０の天板部分２ａの裏面側の間に毛が挟まることはない。さらに、ペット動物が引率者の前後左右に大きく動いた場合にも、連結環３０のリング３１に係止された引き紐を引くことにより、リング３１が支持プレート２０の本体プレート２３の表面側から離間すると共に、環状部３４の一対の脚部３ｇに接合された底面蓋２４が天板部分２ａの裏面に近接し、これによって、支持プレート２０の天板部分２ａと底板部分２ｂに形成された一対の切り起し片２１３によって紐体１のクロス部分が狭圧されることとなる。このため、紐体１のクロス部分の支持プレート２０に対する移動摩擦抵抗が増大し、支持プレート２０に対する紐体１のずれ動きが抑制されることとなり、首輪部６及び胴輪部７の緩みやずれが抑制される。この第２の実施形態における胴輪のペット動物への装着方法は、前記第１の実施形態で説明した方法と同様である。また、散歩に引率した場合における胴輪の機能についても前記第１の実施形態と同様である。
【００２０】
以上、本発明の実施形態を詳述したが、本発明は上記第１及び第２の実施の形態に限定されるものではない。例えば、紐体の両端の連結分離操作用の尾錠は、先端部に向けて低く傾斜する傾斜面を有する板状のフック部と、該フック部の傾斜面に係合する回転操作可能なネジ部を有するフック収容部とから構成され、フック部を紐体の他方の端部に取り付けると共に、フック収容部を支持プレートに形成し、フック部を支持プレートに挿入してフック収容部のネジ部を回転操作することによりフック部の傾斜面とネジ部の先端を係合させ、これによって紐体の他方の端部を支持プレートに連結することができるロック機構を有するものであってもよい。この尾錠によれば、ネジ部を紐体のクロス部分との対向位置に形成し、該ネジ部の先端とフック部の傾斜面を係合させると共に、該ネジ部の先端と支持プレートの底板部分によって紐体のクロス部分を狭圧することにより、支持プレートに対する紐体のずれ動きを抑制することができる。また、その他の構成を有する尾錠であっても良い。さらに、支持プレートの形状は長方形、菱形、円形、楕円形、その他任意の形状とすることができ、また、任意の色彩を着色したり、種々の模様や装飾を施すことによって個性の違いを発揮できる。紐体についても同様である。なお、支持プレートの大きさ及び紐体の幅や長さ並びに連結環の大きさ等についてはペット動物の大きさ等に対応して複数サイズのものが提供されるものである。
【図面の簡単な説明】
【００２１】
【図１】本発明の第１の実施形態を示す胴輪全体の斜視図である。
【図２】本発明の第１の実施形態における支持プレート及び尾錠の拡大平面図である。
【図３】（Ａ）は図２のＡ−Ａ線断面図、（Ｂ）は図２のＢ−Ｂ線断面図である。
【図４】本発明の第１の実施形態における支持プレートの本体プレート及び底面蓋を裏面側から見た拡大平面図である。
【図５】本発明の第１の実施形態の胴輪を動物に装着した状態例を示す概略図である。
【図６】本発明の第２の実施形態における支持プレートを裏面側から見た拡大平面図である。
【図７】（Ａ）は図６のＡ−Ａ線断面図、（Ｂ）は図６のＢ−Ｂ線断面図である。
【図８】本発明の第２の実施形態における尾錠の雄部材を尾錠取付部に取り付ける前の状態を示す拡大断面図である。
【図９】本発明の第２の実施形態における尾錠の雄部材を尾錠取付部に取り付けた後の状態を示す拡大断面図である。
【符号の説明】
【００２２】
１    紐体
１ａ  長さ調節部
２    支持プレート
２ａ  天板部分
２ｂ  底板部分
２ｈ  端部連結部
２ｉ  尾錠取付部
２ｊ  紐体挿通孔
３    連結環
４    尾錠
４ａ  雌部材
４ｂ  雄部材
５    尾錠
６    首輪部
７    胴輪部
１０  引き紐
２０  支持プレート
２１  本体プレート
２２  底面蓋
２３  本体プレート
２４  底面蓋
３１  リング
３２  環状部
３３  連結部材
４１  雄部材
【図１】
2005204622.tif 000003
【図２】
2005204622.tif 000004
【図３】
2005204622.tif 000005
【図４】
2005204622.tif 000006
【図５】
2005204622.tif 000007
【図６】
2005204622.tif 000008
【図７】
2005204622.tif 000009
【図８】
2005204622.tif 000010
【図９】
2005204622.tif 000011